【事件の表示】
　特願２０１１−２２１５６「表示装置の駆動方法」拒絶査定不服審判事件〔平成２３年６月３０日出願公開、特開２０１１−１２８６４２〕について、次のとおり審決する。
【結　論】
　本件審判の請求は、成り立たない。
【理　由】
１．手続の経緯
　この審判事件に関する出願（以下、「本件出願」という。）は、平成１０年３月２７日にされた特許出願（特願平１０−８１９９４）の一部を新たな特許出願とした後、新たな特許出願の一部をさらに新たな特許出願とすることを繰り返したものである。一連の新たな特許出願の分割の日及び出願番号は、以下のとおりである。
　
　　平成１４年１０月２８日　特願２００２−３１３５１４
　　平成１５年　５月　９日　特願２００３−１３１８３９
　　平成１７年　２月　７日　特願２００５−　３１１４５
　　平成１８年　２月１０日　特願２００６−　３４４８２
　　平成１８年　６月１９日　特願２００６−１６９３１７
　　平成２０年　４月２１日　特願２００８−１１０７４３
　　平成２３年　２月　３日　特願２０１１−　２２１５６（本件出願）
　
　これら特許出願の分割は、いずれも適法と認められるので、本件出願は、もとの特許出願（特願平１０−８１９９４）の時にしたものとみなす。
　本件出願は、平成２３年７月１日付け手続補正書により明細書及び特許請求の範囲についての補正がされ、平成２５年５月３１日付け手続補正書により特許請求の範囲についての補正がされた。そして、同年１１月７日付けで拒絶査定がされ、同年同月１２日に査定の謄本が送達された。
　これに対して、平成２６年２月７日に拒絶査定不服審判が請求された。
　
２．本件出願に係る発明
　本件出願の請求項１から５までのそれぞれに係る発明は、特許請求の範囲の請求項１から５までのそれぞれに記載された事項によって特定されるとおりのものである。特に、請求項１に係る発明（以下、「本件発明」という。）は、以下のとおりのものである。
　
「【請求項１】
　複数の画素と、前記画素にデータ信号を供給する映像信号線と、前記映像信号線に交差して設けられた走査信号線と、前記走査信号線に走査信号を出力するゲートドライバとを備える表示装置の駆動方法において、
　前記ゲートドライバに、電圧レベルが、前記走査信号のハイレベルから、前記走査信号のハイレベルとローレベルの中間レベルまで傾斜するように低下し、その後、該中間レベルから前記ハイレベルまで上昇する電圧レベル変化を伴う期間を有する波形の電圧を入力し、
　前記走査信号のハイレベルから、前記走査信号のハイレベルとローレベルとの中間レベルまで傾斜するように低下する電圧レベル変化は、前記走査信号のハイレベルとローレベルとの間の変化の一部を傾斜させるためのものであることを特徴とする表示装置の駆動方法。」
　
３．原査定の拒絶の理由
　本件発明に対する原査定の拒絶の理由２及び３は、概略以下のとおりである。
　
「（理由２）
　本件発明は、本件出願前に日本国内又は外国において頒布された刊行物１に記載された発明であるから、特許法第２９条第１項第３号に該当し、特許を受けることができない。
　
　（理由３）
　本件発明は、本件出願前に日本国内又は外国において頒布された刊行物１に記載された発明に基づいて、本件出願前にその発明の属する技術の分野における通常の知識を有する者が容易に発明をすることができたものであるから、特許法第２９条第２項の規定により特許を受けることができない。
　
　　刊行物１：国際公開第９６／４６４０号」
　
４．刊行物１に記載された事項
（１）刊行物１の記載
　刊行物１には、以下の記載がある。原文の引用の後に、日本語訳を記載する。なお、原文の引用に際し、フランス語の綴り字記号は省略した。また、日本語訳は、刊行物１に対応する公表特許公報（特表平１０−５０４９１１号公報）によった。
　
ア．第１ページ第４行から第７行まで
「La presente invention concerne un procede d'adressage d'ecran a 
cristaux liquides permettant un affichage de qualite uniforme sur 
toute la ligne de l'ecran, ainsi qu'un dispositif de mise en oeuvre 
de ce procede.」
「本発明は、スクリーンの全体のラインに亘って均質の表示を与える液晶スクリーンのアドレス指定の方法と、上記方法を実現する装置とに関する。」
　
イ．第１ページ第９行から第２ページ第２６行まで
「Un ecran a cristaux liquides est constitue d'un ensemble 
d'elements images (Pixels pour Picture Element en langue anglaise)
formes chacun d'une electrode et d'une contre-electrode encadrant le
cristal liquide, la valeur du champ entre ces electrodes modifiant 
les proprietes optiques du cristal liquide. La tension aux bornes 
des electrodes des pixels est delivree via des colonnes d'adressage 
par des circuits peripheriques (Driver en langue anglaise) grace 
aux transistors de commande de ces pixels, l'etat passant et non 
passant de ces transistors etant determines par des lignes de 
selection issues d'autres Drivers-lignes.
　La figure 1 represente une ligne de selection Lj d'un ecran a 
cristal liquide a m lignes et n colonnes, commandant les transistors
T1 a Tn des pixels P1 a Pn. Cette ligne est connectee a un driver-
lignes qui delivre en A le signal de selection carre VA(t) tel que 
represente sur la figure 2. Le signal VA(t) rend passant les 
transistors T1 a Tn de la ligne Lj et permet ainsi la polarisation 
des electrodes des pixels Pi par le signal video issu des colonnes 
C1 a Cn. Les capacites Ccl representent les couplages capacitifs 
entre la ligne Lj, et la contre-electrode CE au travers du cristal 
liquide. Cette ligne Lj dont l'extremite est flottante constitue une
ligne de retard qui se traduit par une deformation du signal de 
selection au point B par rapport au point A, ce signal VB(t) au 
point B est represente sur la figure 2. Cela est particulierement 
visible lorsque l'on desire afficher une image uniforme et que l'on 
applique la meme tension sur toutes les colonnes C1 a Cn de l'ecran.
A l'instant tF, la tension aux bornes des capacites Cp constituee 
par les electrodes des pixels Pi et la contre-electrode CE est la 
meme. Cependant, apres l'instant tF cela n'est plus le cas du fait 
de la difference entre les formes des signaux VA(t) et VB(t).
　En effet, au point A, la chute de tension est tres rapide, le 
transistor T1 est donc bloque immediatement apres tF. Par ailleurs, 
il existe une capacite parasite Cp entre la ligne Lj et les pixels 
Pi. La chute de tension ΔVG au point A entraine ainsi par couplage 
capacitif une chute de tension sur le pixel qui est :
　　ΔV1 = Cp/Cpi x ΔVG　
　Si V1 est la tension fournie au pixel P1 par la colonne C1, la 
chute de tension ΔV1 sur le pixel a l'instant ou le transistor T1 
devient non-passant est illustree par la figure 3a, Vce etant la 
tension de la contre-electrode.
　Au point B, le phenomene de couplage capacitif est identique, mais
dans ce cas, le transistor Tn reste passant tant que la tension 
VB(t) est superieure a V1 + Vt, ou Vt est la tension de seuil du 
transistor. Le couplage ΔVn entre la ligne Lj et le dernier pixel 
Pn est donc plus faible que ΔV1, car tant que le transistor Tn est 
passant, la tension au bornes des pixels reste egale a la tension 
delivree par la colonne Cn. Le couplage capacitif entraine donc une 
chute de tension pour le pixel Pn :
　　ΔVn = Cp/Cpi x ΔV',
　　ΔV' etant la chute de tension au point B.
　La tension qui permet aux pixels de modifier les proprietes 
optiques du cristal liquide est donc Vpix1 = V1 - Vce pour le pixel 
P1 et Vpixn = Vn - Vce pour le pixel Pn, Vpix1 etant different de 
Vpixn. C'est ce qui est represente sur la figure 3b. Le niveau de 
gris n'est donc pas le meme en debut et en fin de ligne. Ce problem
dit de degrade horizontal est particulierement important pour les 
ecrans de grande taille.」
「液晶スクリーンは、電極と、液晶にフレームをつける反対の電極とにより形成され、上記電極の間の電界の値が液晶の光学特性を変化させる各画像素子（画像の要素を表わす“画素”）の組により構成される。画素の電極の端子の電圧は、上記画素の制御トランジスタによる周辺回路（“ドライバ”）によってアドレス指定列を介して伝えられ、上記トランジスタの導通又は非導通状態は、他の行ドライバからの選択行により決定される。
　図１は、画素Ｐ１乃至ＰｎのトランジスタＴ１乃至Ｔｎを制御するｍ行及びｎ列の液晶スクリーンの選択行Ｌｊを表わす。この行は、図２に表わされたような方形の選択信号ＶＡ（ｔ）をＡ点で伝達する行ドライバに接続される。信号ＶＡ（ｔ）は、ラインＬｊのトランジスタＴ１乃至Ｔｎを導通させ、かつ、画素Ｐｉの電極を列Ｃ１乃至Ｃｎから到来するビデオ信号により分極させる。キャパシタンスＣｃｌは、ラインＬｊと、液晶を通る反対の電極ＣＥとの間の容量性結合を表わす。端が浮動している上記ラインＬｊは、Ａ点との比較によりＢ点の選択信号の歪みを生じさせる遅延線を構成し、このＢ点の信号ＶＢ（ｔ）は図２に示される。これは、特に、均一な画像を表示することが望まれるとき、及び、同じ電圧がスクリーンの全列Ｃ１乃至Ｃｎに印加されたときに著しい。時点ｔＦで、画素Ｐｉの電極及び反対の電極ＣＥにより形成された容量Ｃｐの端子の電圧は同一である。しかし、時点ｔＦ以降では、信号ＶＡ（ｔ）の形状とＶＢ（ｔ）の形状との間の差に起因して、このようなことはない。
　その理由は、Ａ点において、電圧降下は非常に速く、トランジスタＴ１はｔＦの直後にターンオフされるからである。更に、浮遊容量Ｃｐは、行Ｌｊと画素Ｐｉとの間に存在する。かくして、容量性結合によるＡ点の電圧降下ΔＶＧは、画素上に電圧降下：
　　ΔＶ１＝Ｃｐ／Ｃｐｉ×ΔＶＧ　
を生じさせる。
　Ｖ１が列Ｃ１により画素Ｐ１に供給された電圧である場合に、トランジスタＴ１が導通を終えた後の画素上の電圧降下ΔＶ１は、図３ａに示され、ここで、Ｖｃｅは反対の電極上の電圧である。
　Ｂ点において、容量性結合の現象は同一であるが、この場合、電圧ＶＢ（ｔ）がＶ１＋Ｖｔよりも大きい限り、トランジスタＴｎは導通し続け、ここで、Ｖｔはトランジスタの閾値電圧である。トランジスタＴｎが導通している限り、画素の端子の電圧は列Ｃｎにより送られた電圧に一致した状態のままであるため、行Ｌｊと最後の画素Ｐｎとの間の結合ΔＶｎは、ΔＶ１よりも小さい。かくして、容量性結合は画素Ｐｎに対し電圧降下：
　　ΔＶｎ＝Ｃｐ／Ｃｐｉ×ΔＶ’
を生じさせる。ΔＶ’はＢ点の電圧降下である。
　画素に液晶の光学特性を変えさせる電圧は、従って、画素Ｐ１の場合にＶｐｉｘ１＝Ｖ１−Ｖｃｅであり、画素Ｐｎの場合にＶｐｉｘｎ＝Ｖｎ−Ｖｃｅであり、Ｖｐｉｘ１はＶｐｉｘｎとは異なる。このことが図３ｂに示されている。従って、濃淡レベルは行の最初と最後で同じではない。“水平方向シェーディング”と称されるこの問題は、特に、大きいサイズのスクリーンの場合に重要である。」
　
ウ．第３ページ第１３行から第２８行まで
「La presente invention sera mieux comprise et des avantages 
supplementaires apparaitront a la lecture de la description qui va 
suivre illustree par les figures suivantes :
　- la figure 1 deja decrite est un schema d'un exemple de lignes 
d'un ecran a cristaux liquides,
　- la figure 2 deja decrite represente le signal de selection tel 
qu'il est recu en debut de ligne et en fin de ligne, et illustre le 
probleme pose du retard de la ligne,
　- les figures 3a et 3b representent les tensions des pixels en 
debut et fin de ligne,
　- les figures 4a et 4b representent respectivement les signaux 
selon l'invention recus respectivement en debut et fin de ligne,
　- les figures 5a et 5b representent les tensions des pixels 
commandes selon l'invention respectivement en debut et en fin de 
ligne,
　- et la figure 6 represente la forme du niveau haut de reference 
d'un driver permettant la mise en oeuvre de l'invention.」
「以下の添付図面に例示された以下の説明を読むことにより、本発明はより良く理解され、その付加的な利点は明らかになる。添付図面において、
　図１は、上記の液晶スクリーンの行の一例の図であり、
　図２は、上記のように、行の最後、及び、行の最初に受けられたような選択信号を表わし、行の遅延により生じた問題を例示する図であり、
　図３ａ及び３ｂは、行の最初及び最後の画素の電圧を表わす図であり、
　図４ａ及び４ｂは、行の最初及び最後で夫々受けられた本発明による信号を表わす図であり、
　図５ａ及び５ｂは、行の最初及び最後で本発明により制御された画素の電圧を表わす図であり、
　図６は、本発明の実現を可能にさせるドライバの基準の高いレベルの形状を表わす図である。」
　
エ．第３ページ第３０行から第４ページ第１６行まで
「Un mode de realisation de la presente invention est represente par
la figure 4a et consiste a modifier la forme du signal delivre par 
le circuit de selection afin de compenser l'effet de retard de la 
ligne responsable du degrade horizontal. Apres un palier d'une 
largeur par exemple de 28μs et selon une caracteristique importante
de l'invention, le signal VA(t) ne decroit pas brutalement (apres un
palier de duree tF - ti), mais a partir de tF avec une pente α de 
preference plus faible ou egale a la pente caracteristique de la 
ligne a retard au point B, c'est-a-dire que α est inferieur a 
ΔV/τ, τ etant le temps caracteristique de la ligne a retard en B 
et ΔV la chute de potentiel au point A. Un exemple de valeur de α 
peut etre de quelques volts par μs. Ce signai decroit ainsi jusqu'a
ce que la tension VA(t) soit egale a VF, tension pour laquelle les 
transistors T1 a Tn sont bloques. A partir de cet instant tF', le 
signal chute instantanement.
　Ainsi, entre tF et tF' (la duree tF - tF' peut etre par exemple 
egale a 3μs pour 6 volts), le signal est le meme au point A et B, 
tous les transistors de la ligne maintenant les tensions constantes 
sur les pixels. Le signal de selection avec retard muni d'une pente 
α entre tF et tF' est represente sur les figures 4b.
　A partir de l'instant TF' les transistors T1 et Tn sont bloques, 
le couplage est donc ΔV1 = ΔV2 = CP/C x ΔV. Les tensions aux 
bornes des pixels P1 et Pn sont illustrees respectivement par les 
figures 5a et 5b. On constate que les tensions des pixels P1 a Pn 
sont egales et qu'il n'y a par consequent plus de degrade 
horizontal.」
「本発明の一実施例は、図４ａに示され、水平方向シェーディングの原因である行の遅延の影響を補償するため、選択回路により送られた信号の形状を変えることからなる。例えば、２８μｓの幅の安定状態の後、本発明の一つの重要な特徴によれば、信号ＶＡ（ｔ）は、（間隔ｔＦ−ｔｉの安定状態の後）急に減少することはないが、ｔＦから、好ましくは、Ｂ点の遅延線の特性傾斜以下の傾斜αで、即ち、τはＢ点の遅延線の特性時間であり、ΔＶはＡ点の電位降下を表わすとき、ΔＶ／τよりも小さいαで減少する。αの値の一例は、１μｓあたりにつき数ボルトである。かくして、電圧ＶＡ（ｔ）が、トランジスタＴ１乃至Ｔｎがターンオフされる電圧ＶＦ’に一致するまで、上記信号は減少する。この時点ｔＦ’から、信号は瞬時に降下する。
　かくして、ｔＦとｔＦ’との間で（間隔ｔＦ’−ｔＦは、例えば、６ボルトに対し３μｓと一致する）、信号はＡ点及びＢ点で同一であり、行の全トランジスタは、画素上で一定電圧を維持する。遅延を伴い、ｔＦとｔＦ’との間の傾斜αで終了する選択信号は、図４ｂに示される。
　時点ｔＦ’から、トランジスタＴ１及びＴｎはターンオフされ、結合は、従って、ΔＶ１＝ΔＶ２＝Ｃｐ／Ｃ×ΔＶである。画素Ｐ１及びＰｎの画素の端子の電圧は、夫々、図５ａ及び図５ｂにより示される。画素Ｐ１乃至Ｐｎ上の電圧は同じであり、従って、水平方向シェーディングが存在しない点に注意が必要である。」
　
オ．第４ページ第２３行から第３５行まで
「Ce procede selon l'invention peut etre mis en oeuvre par un 
driver ayant une entree qui permet de controler le courant de 
sortie. En limitant fortement le courant de sortie entre tF et tF', 
on peut modifier le signal standard pour obtenir la forme d'onde 
desiree.
　On peut aussi utiliser des drivers qui ont une entree analogique
qui permet de definir le niveau haut VH). On obtient le signal 
desire en sortie du driver en modulant cette entree de maniere a 
obtenir une onde VH ayant une forme en dents de scie inversees telle
qu'illustree par la figure 5. C'est-a-dire chaque ligne 1 , 2, 3, 4,
etc ... le niveau haut VH est maintenu sur un palier pendant une 
periode ligne jusqu'a l'instant TF, puis descendu lineairement 
jusqu'a l'instant TF' pour etre instantanement remonte a nouveau 
audit palier et balayer la ligne suivante.」
「上記の本発明による方法は、出力電流を制御することが可能な入力を有するドライバにより実現される。ｔＦとｔＦ’との間で出力電流を厳密に制限することにより、所望の波形を得るため、標準的な信号を変えることが可能である。
　更に、高いレベルＶＨを定義することができるアナログ入力を有するドライバを使用することが可能である。所望の信号は、図５に示されるように反転した鋸波状を有する波形ＶＨを得るような態様で上記入力を変調することにより、ドライバの出力で得られる。即ち、各行１、２、３、４以下同様において、高いレベルＶＨは、時点ｔＦまで１行の周期に亘って安定状態に維持され、次に、時点ｔＦ’まで直線的に低下させられ、次の行を走査するため上記の安定状態まで瞬時に上昇させられる。」
　
（２）刊行物１に記載された発明（引用発明）
ア．刊行物１には、液晶スクリーンのアドレス指定の方法が記載されている（上記（１）ア．）。
　
イ．液晶スクリーンは、電極と反対の電極とトランジスタとを有する画素の組によって構成され、各画素の電極にビデオ信号を供給する列と、行ドライバに接続される行とを備えている（上記（１）イ．及び図１）。
　
ウ．行ドライバは、行を選択し、各行のトランジスタの導通又は非導通状態を決定する（上記（１）イ．及び図１）。
　そのために、行ドライバは、時点ｔｉで立ち上がり、時点ｔＦまで安定状態を維持した後、時点ｔＦ’まで傾斜αで減少し、時点ｔＦ’で瞬時に降下する信号ＶＡ（ｔ）を行に出力する（上記（１）エ．及び図４ａ）。
　
エ．行ドライバとしては、高いレベルＶＨを定義することができるアナログ入力を有するドライバを使用することが可能であり、そのアナログ入力を変調することにより、行ドライバの出力として所望の信号を得る（上記（１）オ．）。
　アナログ入力の変調は、時点ｔＦまで１行の周期に亘って安定状態を維持し、時点ｔＦ’まで直線的に低下し、次の行を走査するため上記の安定状態まで瞬時に上昇する、反転した鋸歯状を有する波形ＶＨを得るような態様で行う（上記（１）オ．及び図６）。
　
オ．以上のことを踏まえて、上記（１）ア．からオ．までの記載と、図１、４ａ及び６に示された事項とを総合すると、刊行物１には、以下の発明（以下、「引用発明」という。）が記載されている。
　
「電極と反対の電極とトランジスタとを有する画素の組と、各画素の電極にビデオ信号を供給する列と、行と、行を選択するための信号ＶＡ（ｔ）を行に出力する行ドライバとを備える液晶スクリーンのアドレス指定の方法であって、
　高いレベルＶＨを定義することができるアナログ入力を行ドライバに供給し、
　時点ｔＦまで１行の周期に亘って安定状態を維持し、時点ｔＦ’まで直線的に低下し、次の行を走査するため上記の安定状態まで瞬時に上昇する、反転した鋸歯状を有する波形の高いレベルＶＨを得るような態様でアナログ入力を変調することにより、
　時点ｔｉで立ち上がり、時点ｔＦまで安定状態を維持した後、時点ｔＦ’まで傾斜αで減少し、時点ｔＦ’で瞬時に降下する信号ＶＡ（ｔ）を行ドライバの出力として得る液晶スクリーンのアドレス指定の方法。」
　
５．対比
　本件発明と引用発明とを対比すると、以下のとおりである。
　
（１）引用発明の「液晶スクリーン」は、引用発明の「表示装置」に相当し、引用発明の「液晶スクリーンのアドレス指定の方法」は、「表示装置の駆動方法」に相当する。
　引用発明の「電極と反対の電極とトランジスタとを有する画素の組」は、本件発明の「複数の画素」に相当する。
　引用発明の「ビデオ信号」は、本件発明の「データ信号」に相当し、引用発明の「各画素の電極にビデオ信号を供給する列」は、本件発明の「前記画素にデータ信号を供給する映像信号線」に相当する。
　
（２）引用発明の「液晶スクリーン」は、「電極と反対の電極とトランジスタとを有する画素の組」を備えているから、アクティブマトリクス駆動方式を採用していることが明らかである。そして、アクティブマトリクス駆動方式の「液晶スクリーン」において、「行」と「列」とが互いに交差するように設けられることは技術常識である。
　したがって、引用発明の「行」は、本件発明の「前記映像信号線に交差して設けられた走査信号線」に相当する。
　
（３）引用発明の「行を選択するための信号ＶＡ（ｔ）」は、本件発明の「走査信号」に相当し、引用発明の「行を選択するための信号ＶＡ（ｔ）を行に出力する行ドライバ」は、本件発明の「前記走査信号線に走査信号を出力するゲートドライバ」に相当する。
　
（４）本件発明の「ゲートドライバ」に入力される「電圧レベルが、前記走査信号のハイレベルから、前記走査信号のハイレベルとローレベルの中間レベルまで傾斜するように低下し、その後、該中間レベルから前記ハイレベルまで上昇する電圧レベル変化を伴う期間を有する波形の電圧」は、具体的には、本件出願の図面の図５に示された信号ＶＤ１ａである。これは、明らかにアナログ信号である。
　したがって、引用発明の「アナログ入力を行ドライバに供給」と本件発明の「前記ゲートドライバに、…入力」とは、「ゲートドライバにアナログ入力を供給」である点で共通する。
　
（５）引用発明の「行を選択するための信号ＶＡ（ｔ）」は、「時点ｔｉで立ち上がり、時点ｔＦまで安定状態を維持した後、時点ｔＦ’まで傾斜αで減少し、時点ｔＦ’で瞬時に降下する」ものである。これは、具体的には、刊行物１の図４ａに示された信号ＶＡ（ｔ）である。
　一方、本件発明の「ゲートドライバ」に信号ＶＤ１ａを入力して得られる「走査信号」は、具体的には、本件出願の図面の図５に示された信号ＶＧ（ｊ）である。
　信号ＶＡ（ｔ）と信号ＶＧ（ｊ）との比較から明らかなように、引用発明の「行を選択するための信号ＶＡ（ｔ）」と本件発明の「走査信号」とは、波形が同じである。
　また、引用発明の「行を選択するための信号ＶＡ（ｔ）」の波形は、行の最初にある画素と最後にある画素とで、印加される電圧が異なるという課題を解決するために選ばれたものである（上記４．（１）イ．及びエ．）。
　一方、本件発明の「走査信号」の波形は、走査信号線駆動回路の出力直後に位置する画素と、走査信号線終端部付近に位置する画素とで、画素電位に生じるレベルシフトが異なるという課題を解決するために選ばれたものである（本件出願の明細書の段落００１９から００２２まで）。
　そうすると、引用発明の「行を選択するための信号ＶＡ（ｔ）」の波形も、本件発明の「走査信号」の波形も、同じ課題を解決するために選ばれていることが分かる。
　したがって、引用発明の「行ドライバの出力」である「時点ｔｉで立ち上がり、時点ｔＦまで安定状態を維持した後、時点ｔＦ’まで傾斜αで減少し、時点ｔＦ’で瞬時に降下する信号ＶＡ（ｔ）」は、本件発明の「ハイレベルとローレベルとの間の変化の一部を傾斜」させた「走査信号」に相当する。
　
（６）引用発明の「時点ｔＦまで１行の周期に亘って安定状態を維持し、時点ｔＦ’まで直線的に低下し、次の行を走査するため上記の安定状態まで瞬時に上昇する、反転した鋸歯状を有する波形の高いレベルＶＨ」は、具体的には、刊行物１の図６に示された信号である。
　一方、上記（４）でも述べたとおり、本件発明の「電圧レベルが、前記走査信号のハイレベルから、前記走査信号のハイレベルとローレベルの中間レベルまで傾斜するように低下し、その後、該中間レベルから前記ハイレベルまで上昇する電圧レベル変化を伴う期間を有する波形の電圧」は、具体的には、本件出願の図面の図５に示された信号ＶＤ１ａである。
　刊行物１の図６に示された信号と本件出願の図面の図５に示された信号ＶＤ１ａとの比較から明らかなように、両者は、波形が同じである。
　したがって、引用発明の「高いレベルＶＨ」は、本件発明の「電圧レベルが、前記走査信号のハイレベルから、前記走査信号のハイレベルとローレベルの中間レベルまで傾斜するように低下し、その後、該中間レベルから前記ハイレベルまで上昇する電圧レベル変化を伴う期間を有する波形の電圧」に相当する。
　
（７）引用発明の「高いレベルＶＨ」は、それを得ることで「信号ＶＡ（ｔ）を行ドライバの出力として得る」のであるから、「信号ＶＡ（ｔ）」の生成に利用されていると認められる。
　一方、本件発明の「電圧レベルが、前記走査信号のハイレベルから、前記走査信号のハイレベルとローレベルの中間レベルまで傾斜するように低下し、その後、該中間レベルから前記ハイレベルまで上昇する電圧レベル変化を伴う期間を有する波形の電圧」は、その中の「前記走査信号のハイレベルから、前記走査信号のハイレベルとローレベルとの中間レベルまで傾斜するように低下する電圧レベル変化」が「前記走査信号のハイレベルとローレベルとの間の変化の一部を傾斜させるためのもの」なのであるから、「ハイレベルとローレベルとの間の変化の一部を傾斜」させた「走査信号」の生成に利用されていることが明らかである。
　したがって、引用発明と本件発明とは、「電圧レベルが、前記走査信号のハイレベルから、前記走査信号のハイレベルとローレベルの中間レベルまで傾斜するように低下し、その後、該中間レベルから前記ハイレベルまで上昇する電圧レベル変化を伴う期間を有する波形の電圧」が、「ハイレベルとローレベルとの間の変化の一部を傾斜」させた「走査信号」の生成に利用されている点で共通する。
　
（８）以上のことをまとめると、本件発明と引用発明との一致点及び相違点は、以下のとおりである。
　
（一致点）
「複数の画素と、前記画素にデータ信号を供給する映像信号線と、前記映像信号線に交差して設けられた走査信号線と、前記走査信号線に走査信号を出力するゲートドライバとを備える表示装置の駆動方法において、
　前記ゲートドライバに、アナログ入力を供給し、
　電圧レベルが、前記走査信号のハイレベルから、前記走査信号のハイレベルとローレベルの中間レベルまで傾斜するように低下し、その後、該中間レベルから前記ハイレベルまで上昇する電圧レベル変化を伴う期間を有する波形の電圧を利用して、
　前記走査信号のハイレベルとローレベルとの間の変化の一部を傾斜させた走査信号を生成する表示装置の駆動方法。」
　
（相違点１）
　本件発明では、「電圧レベルが、前記走査信号のハイレベルから、前記走査信号のハイレベルとローレベルの中間レベルまで傾斜するように低下し、その後、該中間レベルから前記ハイレベルまで上昇する電圧レベル変化を伴う期間を有する波形の電圧」そのものが「ゲートドライバ」に供給され、その中の「前記走査信号のハイレベルから、前記走査信号のハイレベルとローレベルとの中間レベルまで傾斜するように低下する電圧レベル変化」が「前記走査信号のハイレベルとローレベルとの間の変化の一部を傾斜させるためのもの」であるのに対し、引用発明では、当該「電圧」に相当する「時点ｔＦまで１行の周期に亘って安定状態を維持し、時点ｔＦ’まで直線的に低下し、次の行を走査するため上記の安定状態まで瞬時に上昇する、反転した鋸歯状を有する波形の高いレベルＶＨ」そのものではなく、それを「定義することができるアナログ入力」が「行ドライバ」（本件発明の「ゲートドライバ」に相当する。）に供給され、当該「アナログ入力を変調する」ことで当該「高いレベルＶＨ」を得る点。
　
６．相違点１についての判断
（１）刊行物１には、「行ドライバ」の具体的な回路構成が記載されていないので、当業者は、その通常の知識に基づいて、引用発明の「行ドライバ」の回路構成を理解するものと認められる。
　
（２）ところで、「行を選択するための信号」が外部から供給され、それを内部スイッチの切り替えによって「液晶スクリーン」の「行」に出力する「行ドライバ」は、以下に述べるように、本件出願の前に周知である。
　まず、本件出願前に日本国内で頒布された刊行物であり、本件出願に対して平成２５年３月２５日付けで通知された拒絶の理由に引用された刊行物でもある特開平６−２３０３４０号公報（以下、「周知例１」という。）の段落００３４及び００３５並びに図６には、電源回路１１７からのゲートオフ電圧Ｖｇｏｆｆ及びライン選択電圧Ｖｇｏｎをゲートドライバ１２８に供給し、ゲートドライバ１２８内のスイッチ６０５及び６０６によってゲートオフ電圧Ｖｇｏｆｆとライン選択電圧Ｖｇｏｎとから一方を選択して、液晶パネル１３０のゲート線１２９に出力することが記載されている。そして、ライン選択電圧Ｖｇｏｎは、電源回路１１７内のスイッチ６１５によって変更することができる。
　また、本件出願前に日本国内で頒布された刊行物である特開平４−３２４４１８号公報（以下、「周知例２」という。）の段落００２６から００３５まで及び図１には、第１の選択信号発生回路２２１、第２の選択信号発生回路２２３及び非選択信号発生回路２２５からの出力を駆動集積回路２３１に供給し、駆動集積回路２３１内のアナログスイッチ群２６１によって選択信号ＶＹ１及び選択信号ＶＹ２と非選択信号（所定電位の直流電圧）とから一方を選択して、液晶セル３の走査電極１５に出力することが記載されている。
　さらに、同じく本件出願前に日本国内で頒布された刊行物である特開平２−１２９６１８号公報（以下、「周知例３」という。）の第３ページ右上欄第１７行から第４ページ左上欄第７行まで及び第１図には、選択信号発生回路２１ａ、２１ｂからの選択信号５１ａ、５１ｂ及び非選択信号発生回路２２からの非選択信号５３を走査電極の駆動ＩＣ１０ａ、１０ｂに供給し、駆動ＩＣ１０ａ、１０ｂ内の一群のアナログ・スイッチ１４によって選択信号５１ａ、５１ｂと非選択信号５３とから一方を選択して、液晶表示器１の走査電極２に出力することが記載されている。
　周知例１から３までのいずれにも、「液晶スクリーン」（液晶パネル、液晶セル、液晶表示器）の「行ドライバ」（ゲートドライバ、駆動集積回路、走査電極の駆動ＩＣ）が記載されている。そして、それらの「行ドライバ」は、いずれも、「行を選択するための信号」（ライン選択電圧、選択信号）が外部から供給され、それを内部スイッチの切り替えによって「液晶スクリーン」の「行」（ゲート線、走査電極）に出力するものである。
　
（３）引用発明の「行ドライバ」として、「行を選択するための信号」が外部から供給され、それを内部スイッチの切り替えによって「液晶スクリーン」の「行」に出力するものを想定することは、そのような「行ドライバ」が本件出願の前に周知であることを踏まえれば、当業者の通常の理解の範囲内にあると認められる。
　そこで、引用発明の「行ドライバ」がそのようなものであるとしてみると、「高いレベルＶＨを定義することができるアナログ入力」は、内部スイッチの切り替えによって、そのまま「行を選択するための信号」として出力されるから、「高いレベルＶＨ」そのものであると解される。このように解することは、「アナログ入力」が「高いレベルＶＨを定義することができる」ものであることと矛盾しない。
　そして、「時点ｔＦまで１行の周期に亘って安定状態を維持し、時点ｔＦ’まで直線的に低下し、次の行を走査するため上記の安定状態まで瞬時に上昇する、反転した鋸歯状を有する波形の高いレベルＶＨを得るような態様でアナログ入力を変調する」とは、「アナログ入力」である「高いレベルＶＨ」そのものを、「時点ｔＦまで１行の周期に亘って安定状態を維持し、時点ｔＦ’まで直線的に低下し、次の行を走査するため上記の安定状態まで瞬時に上昇する、反転した鋸歯状を有する波形」になるように変調するという意味になる。このように、外部から「行ドライバ」に供給される「行を選択するための信号」を変調することも、周知例１にライン選択電圧Ｖｇｏｎを変更することが記載されていることからみて、当業者の通常の理解の範囲内にある。
　
（４）そうしてみると、相違点１に係る構成は、引用発明の「行ドライバ」の回路構成を、当業者がその通常の知識に基づいて理解することによって、必然的にもたらされるものにすぎない。
　すなわち、相違点１に係る構成は、刊行物１に記載されているに等しい事項であり、相違点１は、実質的な差異ではない。
　したがって、本件発明と引用発明との間に実質的な差異はない。仮にあったとしても、当業者が容易に思い付く程度のことである。
　
７．請求人の主張について
　請求人は、審判請求書の３．（ｃ）で、次のように主張する。
　
「本願の請求項１〜４に係る発明と引用文献１（当審注：刊行物１）に記載された発明とは、本願の請求項１〜４に係る発明では、鋸型の波形の電圧をゲートドライバに対して入力するのに対して、引用文献１に記載の発明では、引用文献１の図６に示される鋸波状の波形を有する高いレベルのＶＨをゲートドライバ内で生成している点で相違している。
　引用文献１に記載された発明が鋸波状の波形を有する高いレベルのＶＨをゲートドライバ内で生成していることは、引用文献１に記載された発明では、高いレベルのＶＨを定義することができるアナログ入力を有するゲートドライバを使用し、このゲートドライバにおいて鋸波状を有する波形のＶＨを得るような態様で上記入力を変調することによりゲートドライバの出力でＶＨを得ていると記載されていることから明らかである（特表平１０−５０４９１１号公報の第５頁上から３〜５行、第６頁下から５〜１１行を参照。）。」
　
　しかし、上記６．で述べたとおり、引用発明の「行ドライバ」として、「行を選択するための信号」が外部から供給され、それを内部スイッチの切り替えによって「液晶スクリーン」の「行」に出力するものを想定することは、当業者の通常の理解の範囲内にある。すなわち、引用発明においても、「鋸波状の波形を有する高いレベルのＶＨ」は、「行ドライバ」（ゲートドライバ）に入力されると認められ、それを「ゲートドライバ内で生成している」という請求人の主張は、採用することができない。
　
８．むすび
　以上に検討したとおり、本件発明は、刊行物１に記載された発明であるから、特許法第２９条第１項第３号に該当し、特許を受けることができない。
　また、本件発明は、刊行物１に記載された発明に基づき、当業者が容易に発明をすることができたものでもあるから、特許法第２９条第２項の規定によっても特許を受けることができない。
　したがって、他の請求項に係る発明について審理するまでもなく、本件出願は拒絶すべきものである。
　よって、結論のとおり審決する。